(57)【要約】【課題】排液性を高めながら、培養液を培養土に広範囲に供給して保液することができ、二作目以降の植え付け時に培地に残っている前作の根が新たな苗の生育の邪魔をしないとともに、排液穴及び定植穴をあける手間がかからない、トロ箱養液栽培に好適な専用の植物栽培用容器を提供する。【解決手段】容器本体２の一対の対向する側壁５Ａ，５Ｂの下部内面に端部が繋がる、底板４の上面に形成された２条の突条７，８からなる堰Ｂを底板４の中央部に備え、２条の突条７，８の端部間の側壁５Ｂ，５Ａに排液穴１０Ａ，１０Ｂを形成し、底板４の上面に、堰Ｂへ向かう下り傾斜面と、排液穴１０Ａ，１０Ｂへ向かう下り傾斜面を形成した。蓋体３の定植穴Ａを、底板４の堰Ｂにより仕切られる一対の貯液部の上方に１つずつ、蓋体３の２つの対角線の一方の対角線上に２個形成し、蓋体３は、裏返した状態でも容器本体３に嵌合する。【選択図】図３
2014166146.tif 000002
【特許請求の範囲】
【請求項１】
平面視矩形状の底板及びこの底板の端縁から立起する４側壁により構成される、上面を開口した容器本体、並びに、前記開口を塞ぐように前記容器本体に嵌合する、定植穴が形成された平面視矩形状の蓋体からなる、発泡合成樹脂製の植物栽培用容器であって、
一対の対向する側壁の下部内面に端部が繋がる、前記底板の上面に形成された２条の突条からなる堰を前記底板の中央部に備え、前記２条の突条の端部間の前記側壁又は前記底板に排液穴を形成し、前記底板の上面に、前記堰へ向かう下り傾斜面と、前記排液穴へ向かう下り傾斜面を形成してなることを特徴とする植物栽培用容器。
【請求項２】
前記堰が、平面視Ｘ字状のものである請求項１記載の植物栽培用容器。
【請求項３】
前記蓋体の定植穴が、前記底板の堰により仕切られる一対の貯液部の上方に１つずつ、前記蓋体の２つの対角線の一方の対角線上に２個形成されるとともに、前記蓋体は、裏返した状態でも前記容器本体に嵌合する請求項１又は２記載の植物栽培用容器。
【請求項４】
前記蓋体の定植穴が、植栽用の丸穴及び前記丸穴の周壁の一部を平面視円弧状に切り欠いた給液用切欠きにより形成される瓢箪状のものである請求項３記載の植物栽培用容器。
【請求項５】
前記一対の貯液部の上方に１つずつ、前記２つの対角線の他方の対角線上又はその近傍に給液用穴を形成してなる請求項３又は４記載の植物栽培用容器。
【請求項６】
前記底板又は前記側壁に第２排液穴を形成するとともに前記第２排液穴を栓体で塞いだ状態とし、又は、前記底板又は前記側壁に第２排液穴を形成するための凹部を形成してなる請求項１〜５の何れか１項に記載の植物栽培用容器。
【請求項７】
請求項１〜６の何れか１項に記載の植物栽培用容器を用い、前記容器本体の底板上に培養液を保持する土壌改良材を充填し、前記土壌改良材上に培養土を充填・鎮圧し、前記培養土全体に灌水した後に前記蓋体により前記容器本体の開口を被い、育苗した苗を前記蓋体の定植穴から定植し、前記定植穴内に挿入されるポット内、前記給液用切欠き内又は前記給液用穴から培養液を給液し、前記排液穴から前記培養液を回収して、回収した前記培養液を前記植物栽培用容器が設置された場所以外の適宜の場所に廃棄するか、あるいは、回収した前記培養液を循環させながら前記苗を生育することを特徴とする植物の栽培方法。
【発明の詳細な説明】
【技術分野】
【０００１】
本発明は、発泡合成樹脂製の植物栽培用容器及びこの容器を用いて行う植物の栽培方法に関する。
【背景技術】
【０００２】
発泡合成樹脂製容器は、一般に、その断熱性及び緩衝性の高さから、魚箱、野菜箱、その他の保管、運搬又は輸送用容器として重用されている。
発泡合成樹脂製容器は、一般に、その断熱性及び緩衝性の高さから、魚箱、野菜箱、その他の保管、運搬又は輸送用容器として重用されている。
このような発泡合成樹脂製容器を植物栽培用容器として用い、土を使用しない養液栽培ではなく、少量の土を培地として使用して土の緩衝能（環境や肥料の急激な変化に対応できる力）を利用する養液栽培、例えば、発泡合成樹脂製魚箱などを利用する、いわゆるトロ箱養液栽培などにおいては、（１）限られた狭い発泡合成樹脂製容器内の土は水分を保つことにより常に一定量の養水分を保つことが容易であるため、植物の生育が安定すること、（２）発泡合成樹脂製容器は断熱性が高いため植物や土が環境変化による影響を受けにくいこと、（３）根域量が小さくなるため良品収穫のための効率的な草勢管理が可能になること、（４）軽量で取り扱いが簡単であるため設置が容易であること、（５）イニシャルコスト及びランニングコストが低く抑えられるため収益性が高いこと、等の利点があることから、新しい農業技術として注目されている（例えば、非特許文献１参照。）。
【先行技術文献】
【非特許文献】
【０００３】
【非特許文献１】ＪＡ全農 営農・技術センター 農産物商品開発室，「トマトトロ箱養液栽培システムの紹介〜水稲育苗ハウス、遊休ハウスの新たな活用技術〜」，ハイドロポニックス，日本養液栽培研究会，第２５巻，第１号，２０１２年７月
【発明の概要】
【発明が解決しようとする課題】
【０００４】
非特許文献１のようなトロ箱養液栽培には、前記多くの利点がある反面、運搬又は輸送用の既製蓋付き発泡合成樹脂製容器に対して、カッターを用いて容器本体に排液穴をあける作業、及び電気ドリルとホールソーを用いて蓋体に定植穴をあける作業をする必要があるため、これらの作業に手間が掛かる。その上、排液性を高めながら、培養液を培養土に広範囲に供給して保液することができない場合がある。その上さらに、二作目以降の植え付け時に、培地に残っている前作の根が新たな苗の生育の邪魔をする場合がある。
よって、多くの利点があるトロ箱養液栽培及びそれに用いられる発泡合成樹脂製の植物栽培用容器ではあるが、前記課題を解決してトロ箱養液栽培により適した発泡合成樹脂製の植物栽培用容器（容器本体及び蓋体）にするという観点からは、改良の余地がある。
【０００５】
そこで本発明が前述の状況に鑑み、解決しようとするところは、排液性を高めながら、培養液を培養土に広範囲に供給して保液することができ、二作目以降の植え付け時に、培地に残っている前作の根が新たな苗の生育の邪魔をしないとともに、排液穴及び定植穴をあける手間がかからない、トロ箱養液栽培に好適な専用の植物栽培用容器及びそれを用いた植物の栽培方法を提供する点にある。
【課題を解決するための手段】
【０００６】
本発明に係る植物栽培用容器は、平面視矩形状の底板及びこの底板の端縁から立起する４側壁により構成される、上面を開口した容器本体、並びに、前記開口を塞ぐように前記容器本体に嵌合する、定植穴が形成された平面視矩形状の蓋体からなる、発泡合成樹脂製の植物栽培用容器であって、一対の対向する側壁の下部内面に端部が繋がる、前記底板の上面に形成された２条の突条からなる堰を前記底板の中央部に備え、前記２条の突条の端部間の前記側壁又は前記底板に排液穴を形成し、前記底板の上面に、前記堰へ向かう下り傾斜面と、前記排液穴へ向かう下り傾斜面を形成してなることを特徴とする（請求項１）。
【０００７】
このような構成によれば、底板に形成された２条の突条からなる堰により堰き止められた培養液は堰へ向かう下り傾斜面上に貯液され、堰を越えた培養液は排液穴へ向かう下り傾斜面に沿って流れ、２条の突条の端部間に形成された２箇所の排液穴から確実に排液される。
このように、堰を越えた余剰の培養液を排液穴から排液して排液性を高めながら、底板の堰により仕切られた一対の貯液部に培養液が溜まるので、底板上に充填したパーライト等の土壌改良材に、土壌改良材上に充填した培養土から下方へ流れる培養液とともに、前記貯液部から吸い上げられた培養液が保持されるため、培養液の保液性を高めることができる。
【０００８】
その上、２条の突条の端部間の２箇所の排液穴から培養液が排出されるので、排液穴の下方位置に樋や樹脂製波板等を配置することにより、培養液を効率的に回収できる。
その上さらに、排液穴の位置が２条の突条の端部間の２箇所であるので、特に排液穴が側壁に形成された場合に排液量の観察が容易であることから、給液量の調節が容易になるため、培養液を過不足なく供給することができる。
その上、蓋体の定植穴、底板上面の堰及び傾斜面、並びに側壁又は底板の排液穴は、簡素な形状であり、発泡合成樹脂製の植物栽培用容器を金型で成形する際に形成することができるため、運搬又は輸送用の既製蓋付き発泡合成樹脂製容器を用いる場合のように排液穴及び定植穴をあける手間が掛からない。
【０００９】
ここで、前記堰が、平面視Ｘ字状のものであると好ましい（請求項２）。
このような構成によれば、堰により仕切られた一対の貯液部の平面積が大きくなるので、底板上に充填したパーライト等の土壌改良材に対して、培養液をより効率的に保持させることができる。
【００１０】
また、前記蓋体の定植穴が、前記底板の堰により仕切られる一対の貯液部の上方に１つずつ、前記蓋体の２つの対角線の一方の対角線上に２個形成されるとともに、前記蓋体は、裏返した状態でも前記容器本体に嵌合すると好ましい。（請求項３）
このような構成によれば、最初（一作目）の栽培が終了して二作目の栽培をする際に、蓋体を裏返して容器本体に嵌合した状態では、蓋体を裏返す前における定植穴が形成されていない対角線上に定植穴が位置するので、最初に栽培していた位置とは異なる位置に新しい苗を植え付けることができるため、最初に栽培した植物の根に邪魔されて新しい苗の成長が阻害されることがない。
その上、二作目の栽培が終了して三作目の栽培をする際に、さらに蓋体を裏返すと、最初の栽培時の定植穴の位置に戻ることになるが、時間の経過により最初の栽培位置の根は腐敗が進んでいるため、最早新たに栽培する苗の成長が妨げられることはない。
よって、二作目以降の植え付け時に培地に残っている前作の根が新たな苗の生育の邪魔をしない状態にしながら、植物の栽培を連続して行うことができる。
【００１１】
さらに、前記蓋体の定植穴が、植栽用の丸穴及び前記丸穴の周壁の一部を平面視円弧状に切り欠いた給液用切欠きにより形成される瓢箪状のものであると好ましい（請求項４）。
このような構成によれば、培養土への培養液の供給を、最初は植栽用の丸穴から行い、次いで、給液用切欠きから行うことにより、培養液の供給範囲が広がるので、根をより広範囲にわたって深く伸張させることができるため、品質の優れた植物の収穫量が増加する。
【００１２】
さらにまた、前記一対の貯液部の上方に１つずつ、前記２つの対角線の他方の対角線上又はその近傍に給液用穴を形成してなると好ましい（請求項５）。
このような構成によれば、培養土への培養液の供給を、植栽用の丸穴から行い、次に給液用切欠きから行った後、植栽用の丸穴から離間した給液用穴から行うことにより、培養液の供給範囲がさらに広がるので、根をさらに広範囲にわたって深く伸張させることができるため、品質の優れた植物の収穫量がさらに増加する。
【００１３】
また、前記底板又は前記側壁に第２排液穴を形成するとともに前記第２排液穴を栓体で塞いだ状態とし、又は、前記底板又は前記側壁に第２排液穴を形成するための凹部を形成してなると好ましい（請求項６）。
このような構成によれば、植物に過不足なく培養液を供給するために、培養土への給液量及び容器からの排液量を多くする必要がある植物を栽培する際に、第２排液穴を塞いでいる栓体を外すこと、又は第２排液穴を形成するための凹部に繋がるように側壁又は底板を切除することにより、前記給液量及び排液量を多くする必要がある植物の栽培に容易に適合させることができる。
【００１４】
本発明に係る植物の栽培方法は、前記植物栽培用容器を用い、前記容器本体の底板上に培養液を保持する土壌改良材を充填し、前記土壌改良材上に培養土を充填・鎮圧し、前記培養土全体に灌水した後に前記蓋体により前記容器本体の開口を被い、育苗した苗を前記蓋体の定植穴から定植し、前記定植穴内に挿入されるポット内、前記給液用切欠き内又は前記給液用穴から培養液を給液し、前記排液穴から前記培養液を回収して、回収した前記培養液を前記植物栽培用容器が設置された場所以外の適宜の場所に廃棄するか、あるいは、回収した前記培養液を循環させながら前記苗を生育することを特徴とする（請求項７）。
このような植物の栽培方法によれば、前記植物栽培用容器と同様の作用効果を奏する。
【発明の効果】
【００１５】
以上のように、本発明に係る植物栽培用容器及び植物の栽培方法によれば、（１）培養土へ給液されてパーライト等の土壌改良材へ流れる培養液とともに、底板の堰により仕切られた一対の貯液部に溜まった培養液からも土壌改良材に吸い上げられた培養液が保持されるため、培養液の保液性を高めることができ、堰を越えた培養液は２箇所の排液穴から確実に排液されるため、排液性も高めることができること、（２）２箇所の排液穴から培養液が排出されるので、排液穴の下方位置に樋や樹脂製波板等を配置することにより、培養液を効率的に回収できるため、回収した培養液を植物栽培用容器設置場所以外に廃棄するか、あるいは、回収した培養液を循環させながら苗を生育することも容易であること、（３）蓋体の定植穴を一対の貯液部の上方に１つずつ、蓋体の２つの対角線の一方の対角線上に２個形成するとともに、裏返した状態でも蓋体が容器本体に嵌合するように構成することにより、次の栽培を行う際に蓋体を裏返して使用すれば、前作の根が新たな苗の生育の邪魔をしない状態にしながら、植物の栽培を連続して行うことができること、（４）蓋体の定植穴を、一対の貯液部の上方に１つずつ、蓋体の２つの対角線の一方の対角線上に２個形成し、植栽用の丸穴及びその周壁の一部を平面視円弧状に切り欠いた給液用切欠きからなる瓢箪状のものとし、さらに、一対の貯液部の上方に１つずつ、前記２つの対角線の他方の対角線上又はその近傍に給液用穴を形成することにより、培養土への培養液の供給を、最初は植栽用の丸穴から行い、次に給液用切欠きから行い、次に植栽用の丸穴から離間した給液用穴から行うことにより、培養液の供給範囲が広がるので、根を広範囲にわたって深く伸張させることができるため、品質の優れた植物の収穫量が増加すること、（５）蓋体の定植穴、底板上面の堰及び傾斜面、並びに側壁又は底板の排液穴は、簡素な形状であり、発泡合成樹脂製の植物栽培用容器を金型で成形する際に形成することができるため、運搬又は輸送用の既製蓋付き発泡合成樹脂製容器を用いる場合のように排液穴及び定植穴をあける手間が掛からないこと、等の顕著な効果を奏する。
【図面の簡単な説明】
【００１６】
【図１】本発明の実施の形態に係る植物栽培用容器の定植穴から苗を定植した状態を示す斜視図である。
【図２】前記植物栽培用容器を用いて植物を生育している状態を示す縦断正面図である。
【図３】前記植物栽培用容器の容器本体から蓋体を分離した状態を示す縦断面斜視図である。
【図４】（ａ）は容器本体の平面図、（ｂ）は容器本体の底面図である。
【図５】（ａ）は図４（ａ）の矢視Ｘ−Ｘ断面図、（ｂ）は図４（ａ）の矢視Ｙ−Ｙ断面図である。
【図６】蓋体の平面図である。
【図７】（ａ）は前記植物栽培用容器の斜視図、（ｂ）は蓋体を裏返した状態を示す前記植物栽培用容器の斜視図である。
【図８】（ａ）は第２排液穴用凹部まわりに要部拡大縦断面図、（ｂ）は第２排液穴を形成した状態を示す要部拡大縦断面図である。
【図９】底板の上面に形成された２条の突条からなる堰の変形例を示す容器本体の平面図である。
【発明を実施するための形態】
【００１７】
次に本発明の実施の形態を添付図面に基づき詳細に説明するが、本発明は、添付図面に示された形態に限定されず特許請求の範囲に記載の要件を満たす実施形態の全てを含むものである。
【００１８】
図１の斜視図及び図２の縦断正面図、図３の縦断面斜視図、図４の平面図及び底面図、並びに図５の断面図に示すように、本発明の実施の形態に係る植物栽培用容器１は、平面視矩形状の底板４及び底板４の端縁から立起する４側壁５Ａ，５Ｂ，６Ａ，６Ｂにより構成される、上面を開口した容器本体２、並びに、前記開口を塞ぐように容器本体２に嵌合する、定植穴Ａ，Ａが形成された平面視矩形状の蓋体３からなる。
ここで、容器本体２及び蓋体３は、軽量であるとともに断熱性に優れた発泡合成樹脂製であり、発泡合成樹脂としては、例えば、発泡ポリスチレン系樹脂、発泡ポリエチレン系樹脂、発泡ポリプロピレン系樹脂等の発泡ポリオレフィン系樹脂、ポリスチレン変性発泡ポリエチレン等のポリスチレン変性発泡ポリオレフィン系樹脂、硬質発泡ウレタン系樹脂等を用いることができるが、中でも発泡ポリスチレンが強度やコスト等の点から好ましい。
容器本体２及び蓋体３が断熱性に優れた発泡合成樹脂製であり、図１及び図２のように、植物ＰＬを栽培している状態で蓋体３は容器本体２に嵌合しているとともに、開口部（後述する給液用切欠き１２及び給液用穴１３）が小さいので、容器本体２内に充填した培養土Ｃの季節における地温、あるいは一日の昼夜における地温の変動幅を小さくできるため、植物ＰＬへの影響が小さくなるとともに、無駄な水分の蒸散を防止できる。
【００１９】
図１〜図３に示すように、蓋体３には、丸穴１１及び丸穴１１の周壁の一部を平面視円弧状に切り欠いた給液用切欠き１２により形成される瓢箪状をなす、２個の定植穴Ａ，Ａ及び２個の給液用穴１３，１３が形成される。
図３及び図４（ａ）に示すように、底板４の上面には、その中央部に２条の突条７，８からなる平面視Ｘ字状の堰Ｂが形成されており、突条７，８の端部７Ａ，８Ａ及び７Ｂ，８Ｂは、一対の対向する側壁（底板４の長辺から立起する側壁）５Ａ，５Ｂの下部内面に繋がり、側壁５Ｂの突条７，８の端部７Ａ，８Ａ間には排液穴１０Ａが、壁５Ａの突条７，８の端部７Ｂ，８Ｂ間には排液穴１０Ｂが形成される。
なお、排水穴１０Ａ，１０Ｂは、２条の突条７，８の端部７Ａ，８Ａ間及び端部７Ｂ，８Ｂ間の底板４に形成してもよい。
【００２０】
また、図４（ａ）及び図５に示すように、底板４の上面には、一対の短辺から中央部の堰Ｂへ向かう下り傾斜面Ｓ１，Ｓ１、及び、平面視Ｘ字状の堰Ｂ内の平面視三角形状の部分に、排液穴１０Ａ，１０Ｂへ向かう下り傾斜面Ｓ２，Ｓ２が形成される。
よって、堰Ｂにより堰き止められた培養液は、堰Ｂへ向かう下り傾斜面Ｓ１，Ｓ１上に貯液され（図２の一対の貯液部Ｒ１，Ｒ２参照。）、堰Ｂを越えた培養液は排液穴１０Ａ，１０Ｂへ向かう下り傾斜面Ｓ２，Ｓ２に沿って流れ、排液穴１０Ａ，１０Ｂから確実に排液される。
なお、堰Ｂには、切欠き９Ａ，９Ｂが形成されているので、切欠き９Ａから堰Ｂ内の平面視三角形状の部分に入った培養液は排液穴１０Ａから排液され、切欠き９Ｂから堰Ｂ内の平面視三角形状の部分に入った培養液は排液穴１０Ｂから排液されるが、切欠き９Ａ，９Ｂは必須のものではなく、貯液部Ｒ１，Ｒ２に貯液する培養液の量（容積）及び堰Ｂの突条７，８の高さ等により、必要に応じて適宜の大きさで形成される。
【００２１】
図６の平面図に示すように、平面視矩形状の蓋体３には、定植穴Ａが一方の対角線Ｄ１上に２個形成されるとともに、他方の対角線Ｄ２上に給液用穴１３が２個形成され、定植穴Ａ及び給液用穴１３は、図１及び図２に示すように、一対の貯液部Ｒ１，Ｒ２の上方に位置している。
なお、給液用穴１３，１３の直径は比較的小さい（例えば５０ｍｍ以下）ため、対角線Ｄ２上でなく、対角線Ｄ２の近傍に形成してもよい。
また、図２に示すように、蓋体３には、容器本体２の上端部に嵌合する、下面の段部３Ａとともに、上面にも、容器本体２の上端部に嵌合する段部３Ｂが形成されているため、段部３Ａが容器本体２の上端部に嵌合した図７（ａ）の斜視図に示す状態から、蓋体３を裏返して段部３Ｂが容器本体２の上端部に嵌合した図７（ｂ）の斜視図に示す状態にすることができる。
【００２２】
次に、主に図２を参照して植物栽培用容器１を用いた植物の栽培方法について説明する。
先ず、容器本体２の底板４上に、培養液を保持する土壌改良材Ｅを容器本体２の容量の１／４程度充填する。
この土壌改良材Ｅとしては、パーライト、鹿沼土又は軽石等の、凹凸した表面に多くの培養液や空気を含ませることができる、排水性の高い多孔質の培土を用いることができる。
次に、土壌改良材Ｅ上に培養土Ｃを充填・鎮圧した後、培養土Ｃ全体に灌水し、散水性や水みちを無くすようにする。
次に、蓋体３を容器本体２の上端部に嵌合し、蓋体２により容器本体２の開口を被う。
次に、育苗ポットＰで育苗した苗（植物ＰＬ）を、育苗ポットＰとともに蓋体３の定植穴Ａ，Ａから定植する。
この状態で、定植穴Ａの丸穴１１内に挿入される育苗ポットＰ内、給液用切欠き１２内又は給液用穴１３から、給液チューブＴにより、濃度や給液量の調節を行った培養液をドリップで培養土Ｃに給液する。なお、定植穴Ａ，Ａに育苗ポットＰとともに定植する例を示したが、必ずしもそのように定植する必要はなく、育苗ポットＰなしの苗、あるいは育苗ポットＰを除いた苗を定植することも当然であるが可能である。
また、排液穴１０Ａ，１０Ｂ（図３及び図４（ａ）参照。）から排出された培養液は、排液穴１０Ａ，１０Ｂの下方位置に配置した樋又は樹脂製波板等の簡素で低コストな構成により容易に回収できる。
このように回収された培養液は、植物栽培用容器１，１，…が設置された場所以外の適宜の場所に廃棄するか、あるいは、培養液を循環させながら苗（植物ＰＬ）を生育する。
【００２３】
一般的には、排液穴から排出される培養液を地面に垂れ流すようなことがなされているが、このような手法を取る場合には、窪地に水分が溜まりじめじめした場所が生ずることから、草や苔が発生して繁茂することとなり、こうした場所からは病害虫が発生する原因を作り、これらが蔓延して植物に甚大な被害を及ぼすという現象がしばしば見られる。
特に夏場は根を冷やすことが求められるので、給液量が多いため排液量も多くなることから前記被害は深刻となる。
このような一般的な構成と比較して、本発明では、排液穴１０Ａ，１０Ｂから排出された培養液を垂れ流さずに回収して、上述のとおり廃棄するか、循環させるため、前記被害が生じることがない。
【００２４】
図４に示すように、平面視矩形状の底板４上面の短辺近傍には、第２排液穴用凹部１４，１４，…（本実施の形態では、一対の短辺近傍に２個ずつ、４個の第２排液穴用凹部１４）が形成されている。
これらの第２排液穴用凹部１４，１４，…は、植物ＰＬに過不足なく培養液を供給するために、培養土Ｃへの給液量及び容器１からの排液量を多くする必要がある植物ＰＬを栽培する際に用いる。
すなわち、図８の要部拡大縦断面図に示すように、側壁６Ｂ（６Ａ）及び底板４の一方又は両方を第２排液穴用凹部１４に繋がるように切除して第２排液穴１５，１５，…を形成し、排液穴１０Ａ，１０Ｂに加えて第２排液穴１５，１５，…からも排液することにより、前記排液量を多くする必要がある植物ＰＬの栽培に容易に適合させることができる。
なお、容器本体２の底板４に第２排液穴１５，１５，…を最初から形成しておき、第２排液穴１５，１５，…を栓体で塞いだ状態にしておいて、前記排液量を多くする必要がある植物ＰＬを栽培する際に栓体を外すようにしてもよい。
また、第２排液穴用凹部１４，１４，…又は第２排液穴１５，１５，…は、底板４ではなく、側壁５Ａ，５Ｂ，６Ａ，６Ｂの下端部に形成してもよい。
【００２５】
以上の説明においては、堰Ｂが２条の突条７，８からなる平面視Ｘ字状である構成（例えば、図４（ａ）参照。）を示したが、堰Ｂはこのような構成に限定されるものではない。
すなわち、堰Ｂは図９（ａ）の平面図に示すように、２条の平行な突条７，８の長手方向中央を突条１６で繋いだ平面視Ｈ字状である構成、図９（ｂ）の平面図に示すように、図９（ａ）の構成において突条１６がない、平面視ＩＩ字状である構成等であってもよい。
ただし、図４（ａ）のような平面視Ｘ字状の堰Ｂの方が、堰Ｂにより仕切られた一対の貯液部Ｒ１，Ｒ２（図２参照。）の平面積が大きくなるので、底板４上に充填したパーライト等の土壌改良材Ｅに対して、培養液をより効率的に保持させることができるため、より好ましい実施態様である。
【００２６】
以上のような本発明の実施の形態に係る植物栽培用容器１（容器本体２及び蓋体３）の構成によれば、底板４に形成された２条の突条７，８からなる堰Ｂにより堰き止められた培養液は堰Ｂへ向かう下り傾斜面Ｓ１，Ｓ１上に貯液され（貯液部Ｒ１，Ｒ２）、堰Ｂを越えた培養液は排液穴１０Ａ，１０Ｂへ向かう下り傾斜面Ｓ２，Ｓ２に沿って流れ、２条の突条７，８の端部７Ａ，８Ａ及び７Ｂ，８Ｂ間に形成された２箇所の排液穴１０Ａ，１０Ｂから確実に排液される。
このように、堰Ｂを越えた余剰の培養液を排液穴１０Ａ，１０Ｂから排液して排液性を高めながら、底板４の堰Ｂにより仕切られた一対の貯液部Ｒ１，Ｒ２に培養液が溜まるので、底板４上に充填したパーライト等の土壌改良材Ｅに、土壌改良材Ｅ上に充填した培養土Ｃから下方へ流れる培養液とともに、貯液部Ｒ１，Ｒ２から吸い上げられた培養液が保持されるため、培養液の保液性を高めることができる。
【００２７】
また、２箇所の排液穴１０Ａ，１０Ｂから培養液が排出されるので、排液穴１０Ａ，１０Ｂの下方位置に樋や樹脂製波板等を配置することにより、培養液を効率的に回収できる。
さらに、排液穴１０Ａ，１０Ｂの位置が側壁５Ｂ，５Ａ又は底板４の２箇所であるので、特に排液穴１０Ａ，１０Ｂが側壁５Ｂ，５Ａに形成された場合に排液量の観察が容易であることから、給液量の調節が容易になるため、培養液を過不足なく供給することができる。
さらにまた、蓋体３の定植穴Ａ，Ａ、底板２上面の堰Ｂ及び傾斜面Ｓ１，Ｓ２、並びに側壁５Ｂ，５Ａ又は底板４の排液穴１０Ａ，１０Ｂは、簡素な形状であり、発泡合成樹脂製の植物栽培用容器１（蓋体３，容器本体２）を金型で成形する際に形成することができるため、運搬又は輸送用の既製蓋付き発泡合成樹脂製容器を用いる場合のように排液穴及び定植穴をあける手間が掛からない。
【００２８】
また、蓋体３の定植穴Ａが、底板４の堰Ｂにより仕切られる一対の貯液部Ｒ１，Ｒ２の上方に１つずつ、蓋体３の２つの対角線Ｄ１，Ｄ２の一方の対角線Ｄ１上に２個形成されるとともに、蓋体３は、裏返した状態でも容器本体２に嵌合するので、最初（一作目）の栽培が終了して二作目の栽培をする際に、蓋体３を裏返して容器本体２に嵌合した状態では、蓋体３を裏返す前における定植穴Ａ，Ａが形成されていない対角線上に定植穴Ａ，Ａが位置するので、最初に栽培していた位置とは異なる位置に新しい苗を植え付けることができるため、最初に栽培した植物の根に邪魔されて新しい苗の成長が阻害されることがない。
その上、二作目の栽培が終了して三作目の栽培をする際に、さらに蓋体３を裏返すと、最初の栽培時の定植穴Ａ，Ａの位置に戻ることになるが、時間の経過により最初の栽培位置の根は腐敗が進んでいるため、最早新たに栽培する苗の成長が妨げられることはない。
よって、二作目以降の植え付け時に培地に残っている前作の根が新たな苗の生育の邪魔をしない状態にしながら、植物の栽培を連続して行うことができる。
【００２９】
さらに、蓋体３の定植穴Ａを、一対の貯液部Ｒ１，２の上方に１つずつ、蓋体３の２つの対角線の一方の対角線上に２個形成し、植栽用の丸穴１１及びその周壁の一部を平面視円弧状に切り欠いた給液用切欠き１２からなる瓢箪状のものとし、さらに、一対の貯液部Ｒ１，Ｒ２の上方に１つずつ、前記２つの対角線の他方の対角線上又はその近傍に給液用穴１３，１３を形成しているので、培養土Ｃへの培養液の供給を、最初は植栽用の丸穴１１（育苗用ポットＰ）から行い、次に給液用切欠き１２から行い、次に植栽用の丸穴１１から離間した給液用穴１３から行うことにより、培養液の供給範囲が広がるので、根を広範囲にわたって深く伸張させることができるため、品質の優れた植物の収穫量が増加する。
【符号の説明】
【００３０】
Ａ  定植穴
Ｂ  堰
Ｃ  培養土
Ｄ１，Ｄ２  対角線
Ｅ  土壌改良材
Ｐ  育苗ポット
ＰＬ  植物
Ｒ１，Ｒ２  貯液部
Ｓ１，Ｓ２  下り傾斜面
Ｔ  給液チューブ
１  植物栽培用容器
２  容器本体
３  蓋体
３Ａ，３Ｂ  段部（嵌合部）
４  底板
５Ａ，５Ｂ，６Ａ，６Ｂ  側壁
７，８  突条
７Ａ，７Ｂ，８Ａ，８Ｂ  端部
９Ａ，９Ｂ  切欠き
１０Ａ，１０Ｂ  排液穴
１１  丸穴
１２  給液用切欠き
１３  給液用穴
１４  第２排液穴用凹部
１５  第２排液穴
１６  突条
【図１】
2014166146.tif 000003
【図２】
2014166146.tif 000004
【図３】
2014166146.tif 000005
【図４】
2014166146.tif 000006
【図５】
2014166146.tif 000007
【図６】
2014166146.tif 000008
【図７】
2014166146.tif 000009
【図８】
2014166146.tif 000010
【図９】
2014166146.tif 000011